(57)【要約】【課題】分注プローブを介しての被検試料や試薬の汚染を未然に防ぎ、精度よく測定することができる自動分析装置及びその判定方法を提供する。【解決手段】被検試料、第１試薬、及び第２試薬を吸引及び吐出する各分注プローブを洗浄するための洗浄液を収容するサンプル部２０及び試薬部２１の各容器と、予め設定された設置位置の各容器から吸引した後に吐出される判定用洗浄液のｐＨを測定するｐＨセンサ部２３と、ｐＨセンサ部２３で測定されたｐＨ値に基づいて、前記設置位置の容器内に前記洗浄液が収容されているか否かを判定する判定部３４とを備え、前記洗浄液が収容されていないと判定したとき、出力部５０のエラー情報を出力する。【選択図】図１
2008111767.tif 000002
【特許請求の範囲】
【請求項１】
被検試料を試薬と混合してその混合液を測定する自動分析装置において、
前記被検試料又は前記試薬を吸引及び吐出する分注プローブと、
前記分注プローブを洗浄するための洗浄液を収容した容器の設置位置を設定する位置設定手段と、
前記位置設定手段により設定された設置位置の容器から、前記分注プローブにより吸引された後に吐出される判定用の洗浄液のｐＨを測定するｐＨセンサと、
前記ｐＨセンサにより測定されたｐＨ値に基づいて、前記位置設定手段により設定された設置位置の容器に前記分注プローブを洗浄するための洗浄液が収容されているか否かを判定する判定手段とを
備えたことを特徴とする自動分析装置。
【請求項２】
前記判定手段は、前記ｐＨセンサにより測定されたｐＨ値が予め設定された第１の許容範囲に入っているとき、前記位置設定手段により設定された設置位置の容器に前記分注プローブを洗浄するための洗浄液が収容されていると判定することを特徴とする請求項１に記載の自動分析装置。
【請求項３】
前記判定用洗浄液を洗い落とすための洗浄水を前記分注プローブに供給する洗浄水供給手段を有し、
前記ｐＨセンサは、前記位置設定手段により設定された設置位置の容器に前記分注プローブを洗浄するための洗浄液が収容されていると判定されたとき、前記洗浄水供給手段により前記洗浄水が供給された後に供給され、前記分注プローブから吐出される判定用の洗浄水のｐＨを測定し、
前記判定手段は、前記ｐＨセンサにより測定された前記判定用洗浄水のｐＨ値が予め設定された第２の許容範囲から外れているとき、前記判定用洗浄液を洗い落とすための洗浄水の量が不足していると判定することを特徴とする請求項２に記載の自動分析装置。
【請求項４】
前記判定手段は、前記ｐＨセンサにより測定されたｐＨ値が予め設定された第１の許容範囲から外れているとき、前記位置設定手段により設定された設置位置の容器に前記分注プローブを洗浄するための洗浄液以外の液体が収容されていると判定することを特徴とする請求項１に記載の自動分析装置。
【請求項５】
前記ｐＨセンサにより測定されたｐＨ値が前記第１の許容範囲又は前記第２の許容範囲から外れているとき、前記分注プローブによる前記被検試料又は前記試薬の吸引を中止するようにしたことを特徴とする請求項２又は請求項４に記載の自動分析装置。
【請求項６】
被検試料を試薬と混合してその混合液を測定する自動分析装置において、
前記被検試料又は前記試薬を吸引及び吐出する分注プローブと、
前記分注プローブを洗浄するための洗浄液を収容した容器から、前記分注プローブにより吸引された後に吐出される判定用洗浄液のｐＨを測定するｐＨセンサと、
前記ｐＨセンサにより測定されたｐＨ値が予め設定された第１の許容範囲から外れているとき、前記分注プローブを洗浄するための洗浄液以外の液体が収容されているエラー情報を出力する出力手段とを
備えたことを特徴とする自動分析装置。
【請求項７】
被検試料を試薬と混合してその混合液を測定する自動分析装置の判定方法において、
前記被検試料又は前記試薬を吸引及び吐出する分注プローブを洗浄するための洗浄液を収容した容器の設置位置を位置設定手段により設定し、
前記位置設定手段により設定された設置位置の容器から、前記分注プローブにより吸引された後に吐出される判定用の洗浄液のｐＨをｐＨセンサにより測定し、
前記ｐＨセンサにより測定されたｐＨ値に基づいて、前記位置設定手段により設定された設置位置の容器に前記分注プローブを洗浄するための洗浄液が収容されているか否かを判定手段より判定することを特徴とする自動分析装置の判定方法。
【発明の詳細な説明】
【技術分野】
【０００１】
本発明は、液体に含まれている成分を分析する自動分析装置及びその判定方法に係り、特に、ヒトの血液や尿などの体液に含まれる成分を分析する自動分析装置及びその判定方法に関する。
【背景技術】
【０００２】
自動分析装置は、被検試料及び試薬を反応容器に分注して混合した混合液の反応によって生ずる色調の変化を吸光度法により測定し、被検試料中の生化学検査項目や免疫検査項目などの成分の濃度や活性を求める。また、被検試料とこの被検試料を希釈する試薬との混合液を、生化学検査項目であるナトリウムイオン、カリウムイオンなどの各電解質に選択的に応答するイオンセンサを用いて測定し、被検試料中の電解質の濃度を求める。
【０００３】
この自動分析装置では、被検試料毎に分析条件の設定により測定可能になった多数の項目の中から、検査に応じて選択された測定項目の測定が行われる。そして、サンプル分注プローブを用いて被検試料が試料容器から反応容器に分注され、試薬分注プローブを用いて測定項目に該当する試薬が試薬容器から反応容器に分注される。次いで、撹拌子を用いて反応容器に分注された被検試料及び試薬の混合液が撹拌された後、その混合液が測光部や電解質測定ユニットで測定されて分析データが生成される。
【０００４】
そして、サンプル分注プローブに付着した以前の被検試料が次に分注する被検試料を収容した試料容器に混入する被検試料間の汚染を防ぐために、サンプル分注プローブを被検試料の分注終了毎に洗浄水で洗浄する。しかしながら、次の被検試料に特定の項目が含まれていると、以前の被検試料に含まれる特定項目の成分が完全には除去されず、サンプル分注プローブを介して次の被検試料を汚染する問題がある。
【０００５】
この問題を回避するために、特定の項目、この特定項目の成分を洗浄水よりも強力でサンプル分注プローブから除去可能な酸性やアルカリ性等の洗浄液、及びこの洗浄液の設置位置を設定しておくことにより、特定項目を含む被検試料を分注する前に、サンプル分注プローブを洗浄液を用いて洗浄することができる。
【０００６】
また、試薬分注プローブに付着した以前の試薬が次に分注する試薬に混入する試薬間の汚染を防ぐために、試薬分注プローブを試薬分注終了毎に洗浄水を用いて洗浄する。しかしながら、以前の試薬が完全には除去されず、試薬分注プローブを介して次の試薬を汚染する問題がある。
【０００７】
この問題を回避するために、汚染する試薬とこの試薬から汚染される試薬、汚染する試薬を試薬分注プローブから除去可能な洗浄液、及びこの洗浄液の設置位置を設定しておくことにより、汚染する試薬の後に汚染される試薬が分注される場合、汚染する試薬が分注された後に試薬分注プローブを洗浄液を用いて洗浄する方法が知られている（例えば、特許文献１参照。）。
【０００８】
そして、サンプル分注プローブ及び試薬分注プローブの各分注プローブを、各洗浄液を用いて洗浄した後、その洗浄液による被検試料や試薬への汚染を避けるために、更に洗浄水を用いて洗浄液を洗い落とす。その後、次の被検試料及び試薬の分注が行われる。
【特許文献１】特開平７−１７４７６５号公報
【発明の開示】
【発明が解決しようとする課題】
【０００９】
しかしながら、各洗浄液を被検試料や試薬と類似した容器に移し、各洗浄液を収容した容器を誤って予め設定した位置とは異なる位置に設置して、各分注プローブを適切な洗浄液を用いて洗浄できないことがある。また、長期間にわたる使用や周囲環境の悪化により、各分注プローブに洗浄水を供給するチューブ内に水垢やカビなどの不用物が堆積して洗浄水の量が減少し、各分注プローブを洗浄液で洗浄した後、その洗浄液を洗浄水で洗い落とせないことがある。
【００１０】
このように、洗浄不足により汚染された被検試料、試薬、洗浄液などから悪影響を受けた分析データが、異常であることに気付かずに誤診してしまう恐れがある。また、気付いたときには再度測定を行う必要が生じ、被検試料、試薬、時間等を浪費する問題がある。
【００１１】
本発明は、上記問題点を解決するためになされたもので、分注プローブを介しての被検試料や試薬の汚染を未然に防ぎ、精度よく測定することができる自動分析装置及びその判定方法を提供することを目的とする。
【課題を解決するための手段】
【００１２】
上記目的を達成するために、請求項１に記載の本発明の自動分析装置は、被検試料を試薬と混合してその混合液を測定する自動分析装置において、前記被検試料又は前記試薬を吸引及び吐出する分注プローブと、前記分注プローブを洗浄するための洗浄液を収容した容器の設置位置を設定する位置設定手段と、前記位置設定手段により設定された設置位置の容器から、前記分注プローブにより吸引された後に吐出される判定用の洗浄液のｐＨを測定するｐＨセンサと、前記ｐＨセンサにより測定されたｐＨ値に基づいて、前記位置設定手段により設定された設置位置の容器に前記分注プローブを洗浄するための洗浄液が収容されているか否かを判定する判定手段とを備えたことを特徴とする。
【００１３】
また、請求項６に記載の本発明の自動分析装置は、被検試料を試薬と混合してその混合液を測定する自動分析装置において、前記被検試料又は前記試薬を吸引及び吐出する分注プローブと、前記分注プローブを洗浄するための洗浄液を収容した容器から、前記分注プローブにより吸引された後に吐出される判定用洗浄液のｐＨを測定するｐＨセンサと、前記ｐＨセンサにより測定されたｐＨ値が予め設定された第１の許容範囲から外れているとき、前記分注プローブを洗浄するための洗浄液以外の液体が収容されているエラー情報を出力する出力手段とを備えたことを特徴とする。
【００１４】
更に、請求項７に記載の本発明の自動分析装置の判定方法は、被検試料を試薬と混合してその混合液を測定する自動分析装置の判定方法において、前記被検試料又は前記試薬を吸引及び吐出する分注プローブを洗浄するための洗浄液を収容した容器の設置位置を位置設定手段により設定し、前記位置設定手段により設定された設置位置の容器から、前記分注プローブにより吸引された後に吐出される判定用の洗浄液のｐＨをｐＨセンサにより測定し、前記ｐＨセンサにより測定されたｐＨ値に基づいて、前記位置設定手段により設定された設置位置の容器に前記分注プローブを洗浄するための洗浄液が収容されているか否かを判定手段より判定することを特徴とする。
【発明の効果】
【００１５】
本発明によれば、各分注プローブの洗浄に用いる洗浄液のｐＨを測定し、測定したｐＨ値が許容範囲を外れた場合にはその情報を出力すると共に被検試料の測定を中止させることにより、各分注プローブを介して被検試料及び試薬への汚染を未然に防ぎ、精度よく測定することができる。
【発明を実施するための最良の形態】
【００１６】
以下に、本発明による自動分析装置の実施例を、図１乃至図２０を参照して説明する。
【実施例】
【００１７】
図１は、本発明の実施例に係る自動分析装置の構成を示したブロック図である。この自動分析装置１００は、生化学的検査項目や免疫検査項目などの各測定項目の標準試料や、被検試料毎に選択入力された測定項目の測定を行う分析部１９と、分析部１９を制御する分析制御部３０と、分析部１９から出力される標準試料や被検試料の測定により生成された標準データや被検データを処理してキャリブレーションテーブルの作成や分析データの生成を行うデータ処理部４０とを備えている。
【００１８】
また、データ処理部４０からのキャリブレーションテーブルや分析データを出力する出力部５０と、分析部１９で測定する各測定項目の分析条件の設定や被検試料毎の測定項目の選択入力、各種コマンド信号を入力する操作部６０と、上述した各ユニットを統括して制御するシステム制御部７０とを備えている。
【００１９】
分析部１９は、標準試料や被検試料などのサンプルの分注や、装置外部の純水装置１１０からの洗浄水、及びこの洗浄水よりも強力に洗浄可能な予め設定された位置に設置された酸性洗浄液、アルカリ性洗浄液、界面活性剤を含む酸性又はアルカリ性洗浄液等の洗浄液を用いてサンプルを分注する分析ユニットの洗浄を行うサンプル部２０を備えている。
【００２０】
また、サンプルに含まれる測定項目の成分と反応する試薬の分注や、前記洗浄水及び予め設定された位置に設置された洗浄液を用いて試薬を分注する分析ユニットの洗浄を行う試薬部２１と、サンプル部２０及び試薬部２１から分注されたサンプル及び試薬の混合液を測定する反応部２２と、前記洗浄液として予め設定された位置に設置された液体のｐＨ（ペーハー）を測定するｐＨセンサ部２３とを備えている。そして、反応部２２における標準試料や被検試料の測定により生成される標準データや被検データは、データ処理部４０に出力される。また、ｐＨセンサ部２３で測定されたセンサ信号は分析制御部３０に出力される。
【００２１】
分析制御部３０は、分析部１９のサンプル部２０、試薬部２１、反応部２２、及びｐＨセンサ部２３の各分析ユニットを夫々駆動する機構を備えた機構部３１と、機構部３１の各機構を制御する制御部３２と、ｐＨセンサ部２３で測定されたセンサ信号からｐＨ値を算出する信号処理部３３と、信号処理部３３で算出されたｐＨ値に基づいて予め設定された位置に設置された液体が前記洗浄液であるか否かを判定する判定部３４とを備えている。
【００２２】
データ処理部４０は、分析部１９の反応部２２から出力された標準データや被検データからキャリブレーションテーブルを作成したり分析データを生成する演算部４１と、演算部４１で作成されたキャリブレーションテーブルや生成された分析データなどを保存する記憶部４２とを備えている。
【００２３】
演算部４１は、反応部２２から出力された各測定項目の標準データから各測定項目のキャリブレーションテーブルを作成し、作成したキャリブレーションテーブルを出力部５０に出力すると共に記憶部４２に保存する。また、反応部２２から出力された各被検データに対して、その測定項目のキャリブレーションテーブルを記憶部４２から読み出した後、読み出したキャリブレーションテーブルを用いてその測定項目の成分の濃度値や活性値等の分析データを算出して、出力部５０に出力すると共に記憶部４２に保存する。
【００２４】
記憶部４２は、ハードディスクなどを備え、演算部４１から出力されたキャリブレーションテーブルや分析データなどを被検試料毎に保存する。
【００２５】
出力部５０は、データ処理部４０の演算部４１から出力されたキャリブレーションテーブルや分析データなどを印刷出力する印刷部５１及び表示出力する表示部５２を備えている。
【００２６】
印刷部５１は、プリンタなどを備え、データ処理部４０の演算部４１から出力されたキャリブレーションテーブルや分析データなどを予め設定されたフォーマットに従って、プリンタ用紙に印刷出力する。
【００２７】
表示部５２は、ＣＲＴや液晶パネルなどのモニタを備え、データ処理部４０の演算部４１から出力されたキャリブレーションテーブルや分析データ、被検体のＩＤ及び氏名などを設定する被検体情報設定画面、測定項目毎の分析条件を設定する分析条件設定画面、被検試料毎に測定項目を選択する測定項目設定画面などの表示を行う。
【００２８】
また、分析部１９のサンプル部２０の分析ユニットを洗浄液を用いて洗浄する条件を設定するサンプル分注プローブ洗浄条件設定画面や、試薬部２１の分析ユニットを洗浄液を用いて洗浄する条件を設定する第１試薬分注プローブ洗浄条件設定画面及び第２試薬分注プローブ洗浄条件設定画面などの表示を行う。
【００２９】
操作部６０は、キーボード、マウス、ボタン、タッチキーパネルなどの入力デバイスを備え、測定項目毎の分析条件の設定操作、被検体の被検体ＩＤや被検体名などの被検体情報の設定操作、被検試料毎の測定項目の選択操作、サンプル分注プローブ洗浄条件の設定操作、第１試薬分注プローブ洗浄条件の設定操作、第２試薬分注プローブ洗浄条件の設定操作、各測定項目のキャリブレーションテーブルを作成するための標準試料測定操作、分析データを生成するための被検試料の測定操作などの様々な操作が行われる。
システム制御部７０は、図示しないＣＰＵと記憶回路７１を備え、操作部６０から供給されるコマンド信号、測定項目の分析条件、各洗浄条件、被検体情報、被検試料毎の測定項目などの情報を記憶した後、これらの情報に基づいてシステム全体の制御を行う。
【００３０】
次に、図２乃至図５を参照して、分析部１９のサンプル部２０、試薬部２１、及び反応部２２の構成を説明する。図２は、分析部１９のサンプル部２０、試薬部２１、及び反応部２２の構成を示す斜視図である。図３は、図２のサンプル部２０及び反応部２２の一部を上から見た図である。図４及び図５は、図２の試薬部２１及び反応部２２の一部を上から見た図である。
【００３１】
図２において、分析部１９のサンプル部２０は、標準試料及び被検試料などのサンプルや洗浄液を収容する試料容器１７を回動可能に保持するディスクサンプラ６と、ディスクサンプラ６に保持された試料容器１７からサンプルを吸引して反応部２２に吐出する分注や、試料容器１７内の洗浄液による洗浄が行われるサンプル分注プローブ１６と、サンプル分注プローブ１６を介してサンプルや洗浄液を吸引及び吐出するサンプル分注ポンプ１０ａと、被検試料の分注終了毎に純水装置１１０からの洗浄水を用いてサンプル分注プローブ１６の洗浄が行われるサンプル洗浄槽１６ａとを備えている。
【００３２】
また、サンプル分注プローブ１６を、図３に示した破線の円軌道に沿って矢印Ｒ１及びＲ２方向への水平移動と、円軌道の下方に位置する試料容器１７、反応部２２、及びｐＨセンサ部２３の各停止位置における上下移動とを可能に保持するサンプル分注アーム１０とを備えている。
【００３３】
試薬部２１は、サンプルに対して選択的に反応する各測定項目の第１試薬や洗浄液、及びこの第１試薬と対をなす第２試薬や洗浄液を収容する試薬容器７ａ，７ｂと、試薬容器７ａを収納する試薬ラック１ａと、試薬容器７ａを収納した試薬ラック１ａを回動可能に保持する試薬庫２と、試薬容器７ｂを収納した試薬ラック１ｂを回動可能に保持する試薬庫３と、試薬庫２，３の試薬容器７ａ，７ｂから第１及び第２試薬を吸引して反応部２２に吐出する分注や、試薬容器７ａ，７ｂ内の各洗浄液による洗浄が行われる第１及び第２試薬分注プローブ１４，１５とを備えている。
【００３４】
また、試薬部２１は、第１及び第２試薬分注プローブ１４，１５を介して第１及び第２試薬や洗浄液を吸引及び吐出する第１及び第２試薬分注ポンプ８ａ，９ａと、第１及び第２試薬の分注終了毎に純水装置１１０からの洗浄水を用いて第１及び第２試薬分注プローブ１４，１５の洗浄が行われる第１及び第２試薬洗浄槽１４ａ，１５ａとを備えている。
【００３５】
更に、第１試薬分注プローブ１４を、図４に示した破線の円軌道に沿って矢印Ｒ１及びＲ２方向への水平移動と、試薬庫２の試薬容器７ａ、反応部２２、及びｐＨセンサ部２３の各停止位置における上下移動とを可能に保持する第１試薬分注アーム８を備えている。
【００３６】
更にまた、第２試薬分注プローブ１５を、図５に示した破線の円軌道に沿って矢印Ｒ１及びＲ２方向への水平移動と、試薬庫３の試薬容器７ｂ、反応部２２、及びｐＨセンサ部２３の各停止位置における上下移動とを可能に保持する第２試薬分注アーム９を備えている。
【００３７】
反応部２２は、サンプル部２０のサンプル分注プローブ１６から吐出されたサンプル、試薬部２１の第１試薬分注プローブ１４から吐出された第１試薬、及び第２試薬分注プローブ１５から吐出された第２試薬を収容する円周上に複数配置された反応容器４と、この反応容器４を回転可能に保持する反応ディスク５と、反応容器４内のサンプル及び第１試薬からなる第１の混合液を撹拌する第１撹拌子１１ａとを備えている。
【００３８】
また、第１の混合液を収容した反応容器４への第１撹拌子１１ａ１の移動を可能に保持する第１撹拌ユニット１１ａと、反応容器４内のサンプル、第１試薬、及び第２試薬からなる第２の混合液を撹拌する第２撹拌子１１ｂ１と、第２の混合液を収容した反応容器４への第２撹拌子１１ｂ１の移動を可能に保持する第２撹拌ユニット１１ｂとを備えている。
【００３９】
更に、反応部２２は、撹拌後の第１の混合液及び第２の混合液を収容した反応容器４に光を照射して、透過した光から設定波長における吸光度を測定する測光ユニット１３と、測定を終えた反応容器４内の第１及び第２の混合液を吸引する吸引ノズル、吸引した後の反応容器４内を洗浄する洗浄ノズル、及び洗浄した後の反応容器4内を乾燥する乾燥ノズルを上下移動可能に保持する洗浄ユニット１２とを備えている。
【００４０】
そして、反応容器４は、第１及び第２の混合液の測定終了毎に、洗浄ユニット１２により吸引・洗浄・乾燥され、再び測定に使用される。また、測光ユニット１３は、吸光度測定により生成した各測定項目の標準試料や被検試料の標準データや被検データをデータ処理部４０に出力する。
【００４１】
次に、図２乃至図１２を参照して、分析部１９のｐＨセンサ部２３の構成の詳細を説明する。図６は、ｐＨセンサ部２３の構成を示す図である。図７は、表示部５２に表示されるサンプル分注プローブ洗浄条件設定画面の一例を示す図である。図８は、図７のサンプル分注プローブ洗浄条件設定画面で設定された位置の液体がサンプル分注プローブ１６の洗浄液であるか否かを判定するために用いられるサンプル部２０の各分析ユニットの構成、及びｐＨセンサ部２３のユニットの構成を示す図である。
【００４２】
また、図９は、表示部５２に表示される第１試薬分注プローブ洗浄条件設定画面の一例を示す図である。図１０は、図９の第１試薬分注プローブ洗浄条件設定画面で設定された位置の液体が第１試薬分注プローブ１４の洗浄液であるか否かを判定するために用いられる試薬部２１の各分析ユニットの構成、及びｐＨセンサ部２３のユニットの構成を示す図である。
【００４３】
更に、図１１は、表示部５２に表示される第２試薬分注プローブ洗浄条件設定画面の一例を示す図である。図１２は、図１１の第２試薬分注プローブ洗浄条件設定画面で設定された位置の液体が第２試薬分注プローブ１５の洗浄液であるか否かを判定するために用いられる試薬部２１の各分析ユニットの構成、及びｐＨセンサ部２３のユニットの構成を示す図である。
【００４４】
図６において、ｐＨセンサ部２３は、表示部５２に表示されるサンプル分注プローブ洗浄条件設定画面で設定された位置における液体のｐＨを測定するサンプルセンサ部２４と、表示部５２に表示される第１試薬分注プローブ洗浄条件設定画面で設定された位置における液体のｐＨを測定する第１試薬センサ部２５と、表示部５２に表示される第２試薬分注プローブ洗浄条件設定画面から設定された位置における液体のｐＨを測定する第２試薬センサ部２６により構成される。
【００４５】
まず、サンプルセンサ部２４の構成の詳細を説明する。  
図７は、表示部５２に表示されるサンプル分注プローブ洗浄条件設定画面の一例を示した図である。このサンプル分注プローブ洗浄条件設定画面５３は、左から順にサンプル分注プローブ１６の洗浄に用いる洗浄液の名を表示する「洗浄液」の欄と、分析条件設定画面で設定された測定項目の項目名を略称で表示する「項目」の欄と、「洗浄液」の欄に表示された洗浄液名の洗浄液を設置する位置を設定するための「設置位置」の欄とにより構成される。
【００４６】
また、「設置位置」の欄に設定された設置位置の液体が「洗浄液」の欄に表示された洗浄液であるか否かを判定する第１の許容範囲を設定するための「第１の許容範囲」の欄と、「設置位置」の欄に設定された設置位置の液体が「洗浄液」の欄に表示された洗浄液である場合にこの洗浄液をサンプル分注プローブ１６から洗い落とすことが可能な量の洗浄水が供給されているか否かを判定する第２の許容範囲を設定するための「第２の許容範囲」の欄とにより構成される。
【００４７】
「洗浄液」の欄には、「第１の洗浄液」及び「第２の洗浄液」が表示されている。ここでは、被検試料を汚染する特定項目の成分を洗浄水よりも強力でサンプル分注プローブ１６から除去可能な洗浄液を用いる。「第１の洗浄液」として鉄やカルシウム等の除去に有効な例えば酸性の洗浄液を用い、「第２の洗浄液」として蛋白質との除去に有効な例えばアルカリ性洗浄液を用いる。更に、脂質等の除去に有効な界面活性剤を含有する酸性やアルカリ性の洗浄液を用いるようにしてもよい。
【００４８】
「項目」の欄には、例えば「ＧＯＴ」、「ＧＰＴ」、「Ｃａ」、「ＨＢｓＡｇ」などの項目名が表示され、この項目名の下に被検試料間の汚染により汚染される特定項目及びこの特定項目の成分の洗浄に適した洗浄液を、「洗浄液」の欄に表示された洗浄液名の中から選択するための影響項目設定エリア５３ａが設けられている。
【００４９】
影響項目設定エリア５３ａでは、汚染される特定項目を「項目」の欄の項目名の中から選択し、更に選択した項目名の成分の洗浄に適した洗浄液を「洗浄液」の欄の「第１の洗浄液」及び／又は「第２の洗浄液」を選択すると、選択した項目名及び洗浄液名に対応する位置に「○」が表示され、選択されない位置には「・」が表示される。
【００５０】
ここで、操作部６０から汚染される特定項目として例えば「ＨＢｓＡｇ」を選択し、また選択した「ＨＢｓＡｇ」の洗浄に適した洗浄液として例えば「第２の洗浄液」を選択すると、「ＨＢｓＡｇ」及び「第２の洗浄液」に対応する影響項目設定エリア５３ａの位置５３ｂに「○」が表示される。この画面から選択入力された汚染される特定項目及びこの特定項目の洗浄液の情報は、システム制御部７０の記憶回路７１に保存される。
【００５１】
このように、予め特定項目を選択しておくことにより、特定項目を含む被検試料を分注する前に、サンプル分注プローブ１６を「洗浄液」の欄に表示された洗浄液名の洗浄液を用いて洗浄することができる。
【００５２】
「設置位置」の欄には、「洗浄液」の欄に表示された各洗浄液名に対応する洗浄液の設置位置の設定が可能な各ダイアログボックス５３ｃ，５３ｄが表示されている。ここで、例えば「第２の洗浄液」を設置する位置として、操作部６０からサンプル部２０のディスクサンプラ６の位置である例えば「Ｗ１」を選択する操作が行われると、選択入力された「Ｗ１」が記憶回路７１に保存されると共にダイアログボックス５３ｄに表示される。
【００５３】
「第１の許容範囲」の欄には、第１の許容範囲の設定が可能な各ダイアログボックス５３ｅ乃至５３ｈが表示されている。ここで、例えばディスクサンプラ６の位置である「Ｗ１」に設置された試料容器１７内の液体が「第２の洗浄液」であるか否かを判定する第１の許容範囲として、操作部６０から例えば「１３．０」及び「１３．３」を設定する操作が行われると、設定入力された「１３．０」及び「１３．３」が記憶回路７１に保存されると共に各ダイアログボックス５３ｇ，５３ｈに表示される。
【００５４】
そして、ディスクサンプラ６の「Ｗ１」に設置された試料容器１７内の液体のｐＨ値が第１の許容範囲に入っているとき、その試料容器１７に「第２の洗浄液」が収容されていると判定される。
【００５５】
「第２の許容範囲」の欄には、第２の許容範囲の設定が可能な各ダイアログボックス５３ｉ乃至５３ｍが表示されている。ここで、ディスクサンプラ６の「Ｗ１」に設置された試料容器１７内の液体が「第２の洗浄液」である場合に、この「第２の洗浄液」をサンプル分注プローブ１６から洗い落とすことが可能な量の洗浄水が供給されたか否かを判定する第２の許容範囲として、操作部６０から例えば「６．０」及び「７．０」を設定する操作が行われると、設定入力された「６．０」及び「７．０」が記憶回路７１に保存されると共に各ダイアログボックス５３ｋ，５３ｍに表示される。
【００５６】
このように、「洗浄液」の欄に表示された各洗浄液名に対応する洗浄液に特有のｐＨ値の範囲を第１の許容範囲として設定しておくことにより、「設置位置」の欄に設定された設置位置の液体が「洗浄液」の欄に表示された洗浄液名に対応する洗浄液であるか否かを判定することができる。また、第２の許容範囲を設定しておくことにより、「「洗浄液」の欄に表示された洗浄液がサンプル分注プローブ１６から洗い落とされたか否かを判定することができる。
【００５７】
なお、３つ以上の洗浄液の設定が可能なように、「洗浄液」の欄に洗浄液名を追加表示し、追加した洗浄液名に対応する「項目」、「設置位置」、「第１の許容範囲」、及び「第２の許容範囲」の各欄に影響項目設定エリア及びダイアログボックスを設けるようにしてもよい。
【００５８】
図８は、図７のサンプル分注プローブ洗浄条件設定画面５３で設定された設置位置の液体がサンプル分注プローブ１６の洗浄液であるか否かを判定するために用いられるサンプル部２０の各分析ユニットの構成、及びサンプルセンサ部２４の構成を示した図である。
【００５９】
サンプル部２０は、ディスクサンプラ６のサンプル分注プローブ洗浄条件設定画面５３で設定された設置位置に保持された試料容器１７と、この試料容器１７からサンプル分注プローブ洗浄条件設定画面５３で設定されたサンプル分注プローブ洗浄用の洗浄液であるか否かを判定する液体（判定用洗浄液）をサンプル分注プローブ１６を用いて吸引し、吸引した判定用洗浄液をサンプルセンサ部２４に吐出するサンプル分注ポンプ１０ａとを備えている。
【００６０】
また、判定用洗浄液がサンプル分注プローブ洗浄用の洗浄液である場合、その洗浄液を吐出した後にサンプル分注プローブ１６から洗浄液を洗い落とすための所定量の洗浄水を純水装置１１０から吸引し、吸引した所定量の洗浄水を「ＮＣ」と「ＣＯＭ」の間が開放された三方弁１６ｂ、サンプル分注ポンプ１０ａ、及びサンプル分注プローブ１６を介してサンプル洗浄槽１６ａに吐出する洗浄水給ポンプ１６ｃを備えている。
【００６１】
そして、洗浄水供給ポンプ１６ｃは、洗浄液を洗い落とすための洗浄水を吐出した後に、洗浄液を洗い落とすことが可能な量の洗浄水をサンプル分注プローブ１６に供給できたか否かを判定する洗浄水（判定用洗浄水）を純水装置１００から吸引し、吸引した洗浄水を三方弁１６ｂ、サンプル分注ポンプ１０ａ、及びサンプル分注プローブ１６を介してサンプルセンサ部２４に吐出する。
【００６２】
サンプルセンサ部２４は、サンプル分注プローブ１６から吐出される判定用洗浄液及び判定用洗浄水を収容する図３に示したサンプル部２０のサンプル洗浄槽１６ａの近傍に配置され収容槽２４１と、収容槽２４１内に収容した判定用洗浄液及び判定用洗浄水のｐＨを測定するｐＨセンサ２４２と、収容槽２４１内に収容した判定用洗浄液及び判定用洗浄水を貯留及び排液するためのバルブ２４３と、ｐＨを測定した後のｐＨセンサ２４２から判定用洗浄液及び判定用洗浄水を洗い落とす洗浄水が吐出されるノズル２４４と、このノズル２４４に純水装置１１０からの洗浄水を供給する供給ポンプ２４５とを備えている。
【００６３】
ｐＨセンサ２４２は、収容槽２４１内に貯留された判定用洗浄液のｐＨを測定し、測定した判定用洗浄液のセンサ信号を分析制御部３０の信号処理部３３に出力する。また、収容槽２４１内に貯留された判定用洗浄水のｐＨを測定し、測定した判定用洗浄水のセンサ信号を信号処理部３３に出力する。
【００６４】
バルブ２４３は、収容槽２４１の底部に配置され、サンプル分注プローブ１６から判定用洗浄液及び判定用洗浄水が吐出されるタイミングに合わせて閉じることにより、判定用洗浄液及び判定用洗浄水を収容槽２４１内に貯留する。次いで、ｐＨの測定終了後に開くことにより、収容槽２４１から判定用洗浄液及び判定用洗浄水を排出する。
【００６５】
供給ポンプ２４５は、純水装置１１０から洗浄水を吸引し、吸引した洗浄水を判定用洗浄液及び判定用洗浄水が収容槽２４１から排出された後に、ノズル２４４を介してｐＨセンサ２４２に向けて吐出する。そして、ｐＨセンサ２４２に付着している判定用洗浄液及び判定用洗浄水を洗い落とす。このときバルブ２４３は開いており、判定用洗浄液及び判定用洗浄水を洗い落とした洗浄水は、収容槽２４１から排出される。
【００６６】
次に、第１試薬センサ部２５の構成の詳細を説明する。  
図９は、表示部５２に表示される第１試薬分注プローブ洗浄条件設定画面の一例を示した図である。この第１試薬分注プローブ洗浄条件設定画面５４は、上段の左から順に、第１試薬分注プローブ１４の洗浄に用いる洗浄液の洗浄液名を表示する「洗浄液」の欄と、「洗浄液」の欄に表示された洗浄液名の洗浄液を設置する位置を設定するための「設置位置」の欄とにより構成される。
【００６７】
また、「設置位置」の欄に設定された位置の液体が「洗浄液」の欄に表示された洗浄液であるか否かを判定する第１の許容範囲を設定するための「第１の許容範囲」の欄と、「設置位置」の欄に設定された位置の液体が「洗浄液」の欄に表示された洗浄液名の洗浄液である場合にこの洗浄液を第１試薬分注プローブ１４から洗い落とすことが可能な量の洗浄水が供給されているか否かを判定する第２の許容範囲を設定するための「第２の許容範囲」の欄とにより構成される。
【００６８】
更に、下段に分析条件設定画面で設定された項目の第１試薬に対応する項目名を略称で横軸及び縦軸に表示する「汚染する第１試薬」及び「汚染される第１試薬」の欄により構成される。
【００６９】
「洗浄液」の欄には、「第１のＲ１洗浄液」及び「第２のＲ１洗浄液」が表示されている。ここでは、汚染する第１試薬を洗浄水よりも強力で第１試薬分注プローブ１４から除去可能な洗浄液を用いる。「第１の洗浄液」として例えば酸性の洗浄液を用い、「第２の洗浄液」としてアルカリ性洗浄液を用いる。
【００７０】
「設置位置」の欄には、「洗浄液」の欄に表示した各洗浄液名に対応する洗浄液の設置位置の設定が可能なダイアログボックス５４ａ，５４ｂが表示されている。ここで、例えば「第１のＲ１洗浄液」を設置する位置として、操作部６０から試薬部２１の試薬庫２の位置である例えば「Ｒ１Ｗ１」を選択する操作が行われると、選択入力された「Ｒ１Ｗ１」が記憶回路７１に保存されると共にダイアログボックス５４ａに表示される。
【００７１】
「第１の許容範囲」の欄には、第１の許容範囲の設定が可能な各ダイアログボックス５４ｃ乃至５４ｆが表示されている。ここで、例えば試薬庫２の位置である「Ｒ１Ｗ１」に設置された試薬容器７ａ内の液体が「第１のＲ１洗浄液」であるか否かを判定する第１の許容範囲として、操作部６０から例えば「２．５」及び「２．８」を設定する操作が行われると、設定入力された「２．５」及び「２．８」が記憶回路７１に保存されると共にダイアログボックス５４ｃ，５４ｄに表示される。
【００７２】
「第２の許容範囲」の欄には、第２の許容範囲の設定が可能な各ダイアログボックス５４ｇ乃至５４ｊが表示されている。ここで、試薬庫２の「Ｒ１Ｗ１」に設置された試薬容器７ａ内の液体が「第１のＲ１洗浄液」である場合に「第１のＲ１洗浄液」を第１試薬分注プローブ１４から洗い落とすことが可能な量の洗浄水が供給されているか否かを判定する第２の許容範囲として、操作部６０から例えば「６．０」及び「７．０」を設定する操作が行われると、設定入力された「６．０」及び「７．０」が記憶回路７１に保存されると共にダイアログボックス５４ｇ，５４ｈに表示される。
【００７３】
このように、「洗浄液」の欄に表示された各洗浄液名に対応する洗浄液に特有のｐＨ値の範囲を第１の許容範囲として設定しておくことにより、「設置位置」の欄に設定された設置位置の液体が「洗浄液」の欄に表示された洗浄液名に対応する洗浄液であるか否かを判定することができる。また、第２の許容範囲を設定しておくことにより、「洗浄液」の欄に表示された洗浄液が第１試薬分注プローブ１４から洗い落とされたか否かを判定することができる。
【００７４】
「汚染する第１試薬」及び「汚染される第１試薬」の欄の横軸及び縦軸には、図７のサンプル分注プローブ洗浄条件設定画面５３に示した「項目」の欄と同じ項目名の第１試薬である「ＧＯＴ」、「ＧＰＴ」、「Ｃａ」、及び「ＨＢｓＡｇ」などの項目名が表示されている。また、横軸及び縦軸の各項目名を選択入力するための第１試薬設定エリア５４ｋが設けられている。
【００７５】
第１試薬設定エリア５４ｋでは、「汚染する第１試薬」及び「汚染される第１試薬」の欄の横軸及び縦軸の項目名に対応する位置を選択し、更に「第１のＲ１洗浄液」及び／又は「第２のＲ１洗浄液」を選択すると、横軸及び縦軸の項目名に対応する位置に「１」又は「２」又は「１／２」が表示され、選択されない位置には「・」が表示される。また、横軸及び縦軸の項目名が同じである位置には、項目名の選択ができないように「−」が表示されている。
【００７６】
ここで、操作部６０から例えば横軸及び縦軸の項目名に対応する「ＧＰＴ」及び「Ｃａ」を選択する。また、「第１のＲ１洗浄液」を選択すると、第１試薬設定エリア５４ｋの横軸の「ＧＰＴ」に対応する縦軸の「Ｃａ」の位置５４ｍに「１」が表示される。そして、選択及び設定入力された汚染する第１試薬、汚染される第１試薬、及び洗浄液の情報は、記憶回路７１に保存される。
【００７７】
このように、汚染する第１の試薬の項目名及びこの第１試薬に汚染される試薬の項目名を選択しておくことにより、汚染する第１試薬の後にこの第１試薬から汚染される第１試薬が分注される場合、汚染する第１試薬が分注された後に第１試薬分注プローブ１４を「洗浄液」の欄に表示された洗浄液名の洗浄液を用いて洗浄することができる。
【００７８】
なお、３つ以上の洗浄液の設定が可能なように、「洗浄液」の欄に洗浄液名を追加表示し、追加した洗浄液名に対応する「設置位置」、「第１の許容範囲」、「第２の許容範囲」の各欄にダイアログボックスを設け、「汚染する第１試薬」及び「汚染される第１試薬」の欄に追加した洗浄液名を選択できるようにしてもよい。
【００７９】
図１０は、図９の第１試薬分注プローブ洗浄条件設定画面５４で設定された位置の液体が第１試薬分注プローブ１４の洗浄液であるか否かを判定するために用いられる試薬部２１の各分析ユニットの構成、及び第１試薬センサ部２５の構成を示した図である。
【００８０】
試薬部２１は、試薬庫２の第１試薬分注プローブ洗浄条件設定画面５４で設定された設置位置に保持された試薬容器７ａと、この試薬容器７ａから第１試薬分注プローブ洗浄条件設定画面５４で設定された洗浄液であるか否かを判定する判定用洗浄液を第１試薬分注プローブ１４を用いて吸引し、吸引した判定用洗浄液を第１試薬センサ部２５に吐出する第１試薬分注ポンプ８ａとを備えている。
【００８１】
また、判定用洗浄液が第１試薬分注プローブ１４洗浄用の洗浄液である場合、その洗浄液を吐出した後に第１試薬分注プローブ１４から洗浄液を洗い落とすための所定量の洗浄水を純水装置１１０から吸引し、吸引した所定量の洗浄水を「ＮＣ」と「ＣＯＭ」の間が開放された三方弁１４ｂ、第１試薬分注ポンプ８ａ、及び第１試薬分注プローブ１４を介して第１試薬洗浄槽１４ａに吐出する洗浄水給ポンプ１４ｃを備えている。
【００８２】
そして、洗浄水供給ポンプ１４ｃは、洗浄液を洗い落とすための洗浄水を吐出した後に、洗浄液を洗い落とすことが可能な量の洗浄水を第１試薬分注プローブ１４に供給できたか否かを判定する判定用洗浄水を純水装置１００から吸引し、吸引した洗浄水を三方弁１４ｂ、第１試薬分注ポンプ８ａ、及び第１試薬分注プローブ１４を介して第１試薬センサ部２５に吐出する。
【００８３】
第１試薬センサ部２５は、第１試薬分注プローブ１４から吐出される判定用洗浄液及び判定用洗浄水を収容する図４に示した試薬部２１の第１試薬洗浄槽１４ａの近傍に配置され収容槽２５１と、収容槽２５１内に収容した判定用洗浄液及び判定用洗浄水のｐＨを測定するｐＨセンサ２５２と、収容槽２５１内に収容した判定用洗浄液及び判定用洗浄水を貯留及び排液するためのバルブ２５３と、ｐＨを測定した後のｐＨセンサ２５２から判定用洗浄液及び判定用洗浄水を洗い落とす洗浄水が吐出されるノズル２５４と、このノズル２５４に純水装置１１０からの洗浄水を供給する供給ポンプ２５５とを備えている。
【００８４】
ｐＨセンサ２５２は、収容槽２５１内に貯留された判定用洗浄液のｐＨを測定し、測定した判定用洗浄液のセンサ信号を分析制御部３０の信号処理部３３に出力する。また、収容槽２５１内に貯留された判定用洗浄水のｐＨを測定し、測定した判定用洗浄水のセンサ信号を信号処理部３３に出力する。
【００８５】
バルブ２５３は、収容槽２５１の底部に配置され、第１試薬分注プローブ１４から判定用洗浄液及び判定用洗浄水が吐出されるタイミングに合わせて閉じることにより、判定用洗浄液及び判定用洗浄水を収容槽２５１内に貯留する。次いで、ｐＨの測定終了後に開くことにより、収容槽２５１から判定用洗浄液及び判定用洗浄水を排出する。
【００８６】
供給ポンプ２５５は、純水装置１１０から洗浄水を吸引し、吸引した洗浄水を判定用洗浄液及び判定用洗浄水が収容槽２５１から排出された後に、ノズル２５４を介してｐＨセンサ２５２に向けて吐出する。そして、ｐＨセンサ２５２に付着している判定用洗浄液及び判定用洗浄水を洗い落とす。このときバルブ２５３は開いており、判定用洗浄液及び判定用洗浄水を洗い落とした洗浄水は、収容槽２５１から排出される。
【００８７】
次に、第２試薬センサ部２６の構成の詳細を説明する。  
図１１は、表示部５２に表示される第２試薬分注プローブ洗浄条件設定画面の一例を示した図である。この第２試薬分注プローブ洗浄条件設定画面５５は、上段の左から順に第２試薬分注プローブ１５の洗浄に用いる洗浄液の洗浄液名を表示する「洗浄液」の欄と、「洗浄液」の欄に表示された洗浄液名の洗浄液を設置する位置を設定するための「設置位置」の欄とにより構成される。
【００８８】
また、「設置位置」の欄に設定された位置の液体が「洗浄液」の欄に表示された洗浄液であるか否かを判定する第１の許容範囲を設定するための「第１の許容範囲」の欄と、「設置位置」の欄に設定された位置の液体が「洗浄液」の欄に表示された洗浄液名の洗浄液である場合にこの洗浄液を第２試薬分注プローブ１４から洗い落とすことが可能な量の洗浄水が供給されているか否かを判定する第２の許容範囲を設定するための「第２の許容範囲」の欄とにより構成される。
【００８９】
更に、下段に分析条件設定画面で設定された項目の第２試薬に対応する項目名を略称で横軸及び縦軸に表示する「汚染する第２試薬」及び「汚染される第２試薬」の欄により構成される。そして、操作部６０から選択及び設定された入力情報は、記憶回路７１に保存される。
【００９０】
「洗浄液」の欄には「第１のＲ２洗浄液」及び「第２のＲ２洗浄液」が表示されている。ここでは、汚染する第２試薬を洗浄水よりも強力で第２試薬分注プローブ１５から除去可能な洗浄液を用いる。「設置位置」の欄には「洗浄液」の欄に表示した各洗浄液名に対応する洗浄液の設置位置の設定が可能な各ダイアログボックス５５ａ，５５ｂが表示されている。「第１の許容範囲」の欄には第１の許容範囲の設定が可能な各ダイアログボックス５５ｃ乃至５５ｆが表示されている。「第２の許容範囲」の欄には、第２の許容範囲の設定が可能な各ダイアログボックス５５ｇ乃至５５ｊが表示されている。
【００９１】
「汚染する第２試薬」及び「汚染される第１試薬」の欄の横軸及び縦軸には、図９の第１試薬分注プローブ洗浄条件設定画面５４に示した「項目」の欄の項目名の第２試薬を有する項目名が表示されている。また、横軸及び縦軸の項目名を選択入力するための第２試薬設定エリア５５ｋが設けられている。第２試薬設定エリア５５ｋでは、「汚染する第２試薬」及び「汚染される第２試薬」の欄の横軸及び縦軸の項目名に対応する位置を選択し、更に「第１のＲ２洗浄液」及び／又は「第２のＲ２洗浄液」を選択すると、横軸及び縦軸の項目名に対応する位置に「１」又は「２」又は「１／２」が表示され、選択されない位置には「・」が表示される。また、横軸及び縦軸の項目名が同じである位置には、項目名の選択ができないように「−」が表示されている。
【００９２】
図１２は、図１１の第２試薬分注プローブ洗浄条件設定画面５５で設定された位置の液体が第２試薬分注プローブ１５の洗浄液であるか否かを判定するために用いられる試薬部２１の各分析ユニットの構成、及び第２試薬センサ部２６の構成を示した図である。
【００９３】
試薬部２１は、試薬庫３の第２試薬分注プローブ洗浄条件設定画面５５で設定された設置位置に保持された試薬容器７ｂと、この試薬容器７ｂから第２試薬分注プローブ洗浄条件設定画面５５で設定された洗浄液であるか否かを判定する判定用洗浄液を第２試薬分注プローブ１５を介して吸引し、吸引した判定用洗浄液を第２試薬センサ部２６に吐出する第２試薬分注ポンプ９ａとを備えている。
【００９４】
また、判定用洗浄液が第２試薬分注プローブ１５洗浄用の設定された洗浄液である場合、洗浄液を吐出した後に第２試薬分注プローブ１５から洗浄液を洗い落とすための所定量の洗浄水を純水装置１１０から吸引し、吸引した所定量の洗浄水を「ＮＣ」と「ＣＯＭ」の間が開放された三方弁１５ｂ、第２試薬分注ポンプ９ａ、及び第２試薬分注プローブ１５を介して第２試薬洗浄槽１５ａに吐出する洗浄水給ポンプ１５ｃを備えている。
【００９５】
そして、洗浄水供給ポンプ１５ｃは、洗浄液を洗い落とすための洗浄水を吐出した後に、洗浄液を洗い落とすことが可能な量の洗浄水を第２試薬分注プローブ１５に供給できたか否かを判定する判定用洗浄水を純水装置１００から吸引し、吸引した洗浄水を三方弁１５ｂ、第２試薬分注ポンプ９ａ、及び第２試薬分注プローブ１５を介して第２試薬センサ部２６に吐出する。
【００９６】
第２試薬センサ部２６は、第２試薬分注プローブ１５から吐出される判定用洗浄液及び判定用洗浄水を収容する図５に示した試薬部２１の第２試薬洗浄槽１５ａの近傍に配置され収容槽２６１と、収容槽２６１内に収容した判定用洗浄液及び判定用洗浄水のｐＨを測定するｐＨセンサ２６２と、収容槽２６１内に収容した判定用洗浄液及び判定用洗浄水を貯留及び排液するためのバルブ２６３と、ｐＨを測定した後のｐＨセンサ２６２から判定用洗浄液及び判定用洗浄水を洗い落とす洗浄水が吐出されるノズル２６４と、このノズル２６４に純水装置１１０からの洗浄水を供給する供給ポンプ２６５とを備えている。
【００９７】
なお、図示した試薬部２１及び第２試薬センサ部２６の各ユニットは、図１０で説明した試薬部２１及び第１試薬センサ部２５の各ユニットと同様に動作するので詳細な説明を省略する。
【００９８】
次に、図２乃至図１２を参照して、分析制御部３０の構成を詳細に説明する。  
図１に示した分析制御部３０の機構部３１は、サンプル部２０におけるディスクサンプラ６を回動させる機構、サンプル分注アーム１０を回動及び上下移動させる機構、サンプル分注ポンプ部１０ａ及び洗浄水供給ポンプ１６ｃを夫々駆動する機構、三方弁１４ｂを切換え駆動する機構等を備えている。
【００９９】
また、試薬部２１における試薬庫２，３を夫々回動させる機構、第１及び第２試薬分注アーム８，９を夫々回動及び上下移動させる機構、第１及び第２試薬分注ポンプ部８ａ，９ａ及び洗浄水供給ポンプ１４ｃ，１５ｃを夫々駆動する機構、三方弁１４ｂ，１５ｂを夫々切換え駆動する機構等を備えている。
【０１００】
更に、反応部２２における第１及び第２撹拌ユニット１１ａ，１１ｂを夫々回動及び上下移動させる機構、洗浄ユニット１２を上下移動させる機構、第１及び第２撹拌子１１ａ１，１１ｂ１を夫々撹拌駆動する機構、洗浄ユニット１２の吸引ノズルを介して反応容器４内の第１及び第２の混合液を吸引する吸引ポンプ、洗浄ノズルを介して反応容器４の洗浄を行う洗浄ポンプ、及び乾燥ノズルを介して反応容器４内の乾燥を行う乾燥ポンプを夫々駆動する機構を備えている。
【０１０１】
更にまた、ｐＨセンサ部２３におけるバルブ２４３，２５３，２６３を夫々開閉駆動する機構、供給ポンプ２４５，２５５，２６５を夫々駆動する機構等を備えている。
【０１０２】
制御部３２は、機構部３１の各機構を制御する。また、判定部３４における判定結果に１つでも否が含まれていると、サンプル部２０、試薬部２１、及び反応部２２の測定動作を中止させる。
【０１０３】
判定部３４は、ｐＨセンサ部２３のサンプルセンサ部２４で測定され、信号処理部３３で算出された判定用洗浄液のｐＨ値が図７のサンプル分注プローブ洗浄条件設定画面５３で設定された第１の許容範囲から外れている場合、設定された設置位置にサンプル分注プローブ１６の洗浄液以外の液体が収容されていると判定し、判定した情報を第１のエラー情報としてシステム制御部７０を介して出力部５０に出力する。
【０１０４】
また、サンプルセンサ部２４で測定され、信号処理部３３で算出された判定用洗浄水のｐＨ値がサンプル分注プローブ洗浄条件設定画面５３で設定された第２の許容範囲から外れている場合、例えば図８の洗浄水供給ポンプ１６ｃ、三方弁１６ｂ、及びサンプル分注プローブ１６の各間の矢印で示したチューブ内に水垢やカビなどの不用物が堆積して流路抵抗が増し、サンプル分注プローブ１６の洗浄液を洗い落とす洗浄水の量が不足していると判定し、判定した情報を第２のエラー情報としてシステム制御部７０を介して出力部５０に出力する。
【０１０５】
更に、第１及び第２試薬センサ部２５，２６で夫々測定され、信号処理部３３で算出された各判定用洗浄液のｐＨ値が図９及び図１１の第１及び第２試薬分注プローブ洗浄条件設定画面５４，５５で設定された各第１の許容範囲から外れている場合、設定された各設置位置に第１及び第２試薬分注プローブ１４，１５の洗浄液以外の液体が収容されていると判定し、判定した情報を夫々第３のエラー情報としてシステム制御部７０を介して出力部５０に出力する。
【０１０６】
更にまた、第１及び第２試薬センサ部２５，２６で夫々測定され、信号処理部３３で算出された各判定用洗浄水のｐＨ値が第１及び第２試薬分注プローブ洗浄条件設定画面５４，５５で設定された各第２の許容範囲から外れている場合、例えばサンプル分注プローブ１６と同様の原因で、第１及び第２の試薬分注プローブ１４，１５の洗浄液を洗い落とす洗浄水の量が不足していると判定し、判定した情報を夫々第４のエラー情報としてシステム制御部７０を介して出力部５０に出力する。
【０１０７】
以下、図１乃至図１６を参照して、自動分析装置１００の動作の一例を説明する。図１３は、表示部５２に表示される測定項目設定画面の一例を示す図である。図１４は、測定を開始してからサンプル分注プローブ１６、第１試薬分注プローブ１４、及び第２試薬分注プローブ１５の各分注プローブの洗浄条件を設定する各洗浄条件設定画面で設定された設置位置の各判定用洗浄液及びこの洗浄液に対応する判定用洗浄水を判定するまでの動作を示すフローチャートである。図１５は、被検試料の分注及びサンプル分注プローブ１６の洗浄を終了するまでの動作を示すフローチャートである。図１６は、第１試薬の分注を開始してから測定を終了するまでの動作を示すフローチャートである。
【０１０８】
データ処理部４０の記憶部４２には各測定項目のキャリブレーションテーブルが保存されている。また、操作部６０からの各分注プローブ洗浄条件の設定により、例えば図７のサンプル分注プローブ洗浄条件設定画面５３で設定された入力情報、及び図９の第１試薬分注プローブ洗浄条件設定画面５４で設定された入力情報がシステム制御部７０の記憶回路７１に保存されている。更に、測定項目選択入力により、被検試料毎に選択入力された測定項目の情報が記憶回路７１に保存されている。
【０１０９】
図１４は、表示部５２に表示される測定項目設定画面の一例を示した図である。この測定項目設定画面５５は、被検体情報設定画面で入力された被検体のＩＤを表示する「ＩＤ」の欄と、図７のサンプル分注プローブ洗浄条件設定画面５３と同じ項目名を略称で表示する「項目」の欄と、「ＩＤ」の欄に表示された被検体のＩＤ毎に「項目」の欄に表示された項目名の測定項目を選択入力するための測定項目設定エリア５６ａとにより構成される。
【０１１０】
「ＩＤ」の欄には、予め入力された例えば「１」及び「２」の被検体のＩＤが表示されている。また、「項目」の欄には、「ＧＯＴ」、「ＧＰＴ」、「Ｃａ」、「ＨＢｓＡｇ」などの項目名が表示されている。
【０１１１】
測定項目設定エリア５６ａには、「ＩＤ」の欄の各被検体のＩＤに対応した「項目」の欄の項目名が選択された場合には「○」が表示され、設定されない場合には「・」が表示される。そして、操作部６０から例えば「ＩＤ」の欄に表示された「１」に対して「ＧＯＴ」及び「ＧＰＴ」が選択されると、測定項目設定エリア５６ａの１テストである「ＧＯＴ」及び２テストである「ＧＰＴ」の位置に「○」が表示される。また、「ＩＤ」の欄に表示された「２」に対して「Ｃａ」及び「ＨＢｓＡｇ」が選択されると、測定項目設定エリア５６ａの３テストである「Ｃａ」及び４テストである「ＨＢｓＡｇ」の位置に「○」が表示される。
【０１１２】
測定項目設定画面５６から選択入力された測定項目設定情報は、システム制御部７０の記憶回路７１に保存される。そして、被検試料の測定は測定項目設定画面５６から選択入力された測定項目の情報に基づいて行われ、「ＩＤ」の最上段の「１」に対応した被検試料から順に、各被検体のＩＤの左の選択された測定項目「ＧＯＴ」から順に測定されることになる。
【０１１３】
図１４は、測定を開始してから各洗浄条件設定画面で設定された設置位置の各判定用洗浄液及び判定用洗浄水を判定するまでの動作を示したフローチャートである。分析部１９のサンプル部２０におけるディスクサンプラ６の「Ｗ１」の位置に「第２の洗浄液」として収容した試料容器１７を設置する。また、分析部１９の試薬部２１における試薬庫２の「Ｒ１Ｗ１」の位置に「第１のＲ１洗浄液」として収容した試薬容器７ａを設置する。
【０１１４】
操作部６０から被検試料の測定開始操作が行われると、自動分析装置１００は測定を開始する（ステップＳ１）。
【０１１５】
システム制御部７０は、分析制御部３０、データ処理部４０、及び出力部５０に測定を指示する。サンプル分注プローブ１６は、分析制御部３０の制御部３２に基づいて、ディスクサンプラ６の「Ｗ１」に設置された試料容器１７から判定用洗浄液を吸引した後、ｐＨセンサ部２３におけるサンプルセンサ部２４の収容槽２４１内に吐出する（ステップＳ２）。
【０１１６】
判定用洗浄液が吐出された後、サンプルセンサ部２４のｐＨセンサ２４２は、収容槽２４１に貯留された判定用洗浄液のｐＨを測定し、その測定したセンサ信号を分析制御部３０の信号処理部３３に出力する（ステップＳ３）。
【０１１７】
信号処理部３３は、ｐＨセンサ２４２から出力されたセンサ信号から判定用洗浄液のｐＨを算出して判定部３４に出力する。判定部３４は、システム制御部７０から供給される第１の許容範囲の情報に基づいて、信号処理部３３から出力されたｐＨ値を判定する。
【０１１８】
そして、ｐＨ値が第１の許容範囲である例えば１３．０と１３．３の間に入っている場合（ステップＳ４のはい）、ディスクサンプラ６の「Ｗ１」に設置された試料容器１７内の洗浄液は「第２の洗浄液」であると判定し、ステップＳ５に移行する。また、ｐＨ値が第１の許容範囲から外れている場合（ステップＳ４のいいえ）、ディスクサンプラ６の「Ｗ１」に設置された試料容器１７内に「第２の洗浄液」以外の液体が収容されていると判定し、第１のエラー情報を出力部５０に出力する（ステップＳ６）。
【０１１９】
サンプルセンサ部２４のバルブ２４３の開放により収容槽２４１内の判定用洗浄液が排出された後、供給ポンプ２４５は、純水装置１１０から洗浄水を吸引してノズル２４４から吐出し、吐出した洗浄水でｐＨセンサ２４２から「第２の洗浄液」を洗い落とす。その後、バルブ２４３を閉じる。
【０１２０】
サンプル分注プローブ１６は、サンプル洗浄槽１６ａに移動する。サンプル分注プローブ１６の移動後、洗浄水供給ポンプ１６ｃは、サンプル分注プローブ１６から「第２の洗浄液」を洗い落とすための所定量の洗浄水を純水装置１１０から吸引し、吸引した所定量の洗浄水をサンプル分注プローブ１６からサンプル洗浄槽１６ａ内に吐出する。
【０１２１】
洗浄水を吐出した後、サンプル分注プローブ１６は、収容槽２４１に移動する。サンプル分注プローブ１６の移動後、洗浄水供給ポンプ１６ｃは、判定用洗浄水を純水装置１１０から吸引し、吸引した判定用洗浄水をサンプル分注プローブ１６から収容槽２４１内に吐出する（ステップＳ５）。
【０１２２】
判定用洗浄水が吐出された後、ｐＨセンサ２４２は、収容槽２４１に貯留された判定用洗浄水のｐＨを測定し、その測定したセンサ信号を信号処理部３３に出力する（ステップＳ７）。
【０１２３】
信号処理部３３は、ｐＨセンサ２４２から出力されたセンサ信号から判定用洗浄水のｐＨを算出して判定部３４に出力する。判定部３４は、システム制御部７０から供給される第２の許容範囲の情報に基づいて、信号処理部３３から出力されたｐＨ値を判定する。
【０１２４】
そして、ｐＨ値が第２の許容範囲である例えば６．０と７．０の間に入っている場合（ステップＳ８のはい）、サンプル分注プローブ１６に付着した「第２の洗浄液」を洗い落とすことが可能な量の洗浄水が洗浄水供給ポンプ１６ｃから供給されていると判定する。また、ｐＨ値が第２の許容範囲から外れている場合（ステップＳ８のいいえ）、サンプル分注プローブ１６から「第２の洗浄液」を洗い落とす洗浄水の量が不足していると判定し、第２のエラー情報を出力部５０に出力する（ステップＳ９）。
【０１２５】
一方、第１試薬分注プローブ１４は、試薬庫２の「Ｒ１Ｗ１」に設置された試薬容器７ａ内に「第１のＲ１洗浄液」として収容された判定用洗浄液を吸引した後、ｐＨセンサ部２３における第１試薬センサ部２５の収容槽２５１内に吐出する（ステップＳ１０）。
【０１２６】
判定用洗浄液が吐出された後、第１試薬センサ部２５のｐＨセンサ２５２は、収容槽２５１に貯留された判定用洗浄液のｐＨを測定し、その測定したセンサ信号を信号処理部３３に出力する。
【０１２７】
信号処理部３３は、ｐＨセンサ２５２から出力されたセンサ信号から判定用洗浄液のｐＨを算出して判定部３４に出力する。判定部３４は、システム制御部７０から供給される第１の許容範囲の情報に基づいて、信号処理部３３から出力されたｐＨ値を判定する。
【０１２８】
そして、ｐＨ値が第１の許容範囲である例えば２．５と２．８の間に入っている場合（ステップＳ１２のはい）、試薬庫２の「Ｒ１Ｗ１」に設置された試薬容器７ａ内の洗浄液は「第１のＲ１洗浄液」であると判定し、ステップＳ１３に移行する。また、ｐＨ値が第１の許容範囲から外れている場合（ステップＳ１２のいいえ）、試薬庫２の「Ｒ１Ｗ１」に設置された試薬容器７ａに「第１のＲ１洗浄液」以外の液体が収容されていると判定し、第３のエラー情報を出力部５０に出力する（ステップＳ１４）。
【０１２９】
第１試薬センサ部２５のバルブ２５３の開放により収容槽２５１内の判定用洗浄液が排出された後、供給ポンプ２５５は、純水装置１１０から洗浄水を吸引してノズル２５４から吐出し、吐出した洗浄水でｐＨセンサ２５２から「第１のＲ１洗浄液」を洗い落とす。その後、バルブ２５３を閉じる。
【０１３０】
第１試薬分注プローブ１４は、第１試薬洗浄槽１４ａに移動する。第１試薬分注プローブ１４の移動後、洗浄水供給ポンプ１４ｃは、第１試薬分注プローブ１４から「第１のＲ１洗浄液」を洗い落とすための所定量の洗浄水を純水装置１１０から吸引し、吸引した所定量の洗浄水をサンプル分注プローブ１６からサンプル洗浄槽１６ａ内に吐出する。
【０１３１】
洗浄水を吐出した後、第１試薬分注プローブ１４は、収容槽２５１に移動する。第１試薬分注プローブ１４の移動後、洗浄水供給ポンプ１４ｃは、判定用洗浄水を純水装置１１０から吸引し、吸引した判定用洗浄水を第１試薬分注プローブ１４から収容槽２５１内に吐出する（ステップＳ１３）。
【０１３２】
判定用洗浄水が吐出された後、ｐＨセンサ２５２は、収容槽２５１に貯留された判定用洗浄水のｐＨを測定し、その測定したセンサ信号を信号処理部３３に出力する（ステップＳ１５）。
【０１３３】
信号処理部３３は、ｐＨセンサ２５２から出力されたセンサ信号から判定用洗浄水のｐＨを算出して判定部３４に出力する。判定部３４は、システム制御部７０から供給される第２の許容範囲の情報に基づいて、信号処理部３３から出力されたｐＨ値を判定する。
【０１３４】
そして、ｐＨ値が第２の許容範囲である例えば６．０と７．０の間に入っている場合（ステップＳ１６のはい）、第１試薬分注プローブ１４から「第１のＲ１洗浄液」を洗い落とすことが可能な量の洗浄水が供給されていると判定する。また、ｐＨ値が第２の許容範囲から外れている場合（ステップＳ１６のいいえ）、第１試薬分注プローブ１４から洗浄液を洗い落とす洗浄水の量が不足していると判定し、第４のエラー情報を出力部５０に出力する（ステップＳ１７）。
【０１３５】
ステップＳ６又はステップＳ８の「はい」又はステップＳ９、及びステップＳ１４又はステップＳ１６の「はい」又はステップＳ１７の後に、第１乃至第４のエラー情報が１つも出力されていない場合（ステップＳ１８のはい）、図１５のステップに移行する。また、第１乃至第４のエラー情報の内の１つ以上のエラー情報が出力された場合（ステップＳ１８のいいえ）、図１６のステップに移行する。
【０１３６】
図１５は、被検試料の分注を開始してからサンプル分注プローブ１６の洗浄を終了するまでの動作を示したフローチャートである。図１４におけるステップＳ１８の「はい」の後に、測定項目設定画面５６で選択入力した被検体ＩＤ「ｍ」のｍテスト及び（ｍ＋１）テストの測定項目を測定するための被検試料をディスクサンプラ６に保持された試料容器１７から反応部２２の反応容器４に分注する（ステップＳ２１）。
【０１３７】
被検体ＩＤ「ｍ」の全ての測定項目の被検試料の分注を終了した後、制御部３２は、システム制御部７０から供給されるサンプル分注プローブ洗浄条件設定画面５３で設定された特別項目である「ＨＢｓＡｇ」、この特別項目の洗浄液である「第２の洗浄液」、及びこの洗浄液の設置位置である「Ｗ１」の情報と、被検体ＩＤ「ｍ＋１」の測定項目の情報に基づいて、サンプル分注プローブ１６の洗浄を行う。
【０１３８】
そして、被検体ＩＤ「ｍ＋１」の測定項目に特別項目である「ＨＢｓＡｇ」が含まれていない場合（ステップＳ２２のいいえ）、サンプル分注プローブ１６をサンプル洗浄槽１６ａで洗浄水を用いて洗浄する（ステップＳ２３）。
【０１３９】
また、被検体ＩＤ「ｍ＋１」の測定項目に「ＨＢｓＡｇ」が含まれている場合（ステップＳ２２のはい）、サンプル分注プローブ１６をディスクサンプラ６の「Ｗ１」に設置された「第２の洗浄液」を吸引して洗浄する（ステップＳ２４）。
【０１４０】
ここでは、被検体ＩＤ「ｍ＋１」に汚染される測定項目の「ＨＢｓＡｇ」が含まれているので、「第２の洗浄液」を用いて洗浄を行う。
【０１４１】
ステップＳ２４の後に、サンプル分注プローブ１６は、サンプル洗浄槽１６ａに移動する。サンプル分注プローブ１６の移動後、洗浄水供給ポンプ１６ｃは、サンプル分注プローブ１６から「第２の洗浄液」を洗い落とすための所定量の洗浄水を純水装置１１０から吸引し、吸引した所定量の洗浄水をサンプル分注プローブ１６からサンプル洗浄槽１６ａ内に吐出する。
【０１４２】
ステップＳ２３又はＳ２４の後に、ｍが２である場合（ステップＳ２５のはい）、図１６のステップに移行する。また、ｍが２未満である場合（ステップＳ２５のいいえ）、ステップＳ２１に戻る。
【０１４３】
図１６は、第１試薬の分注を開始してから測定を終了するまでの動作を示したフローチャートである。図１５でサンプル分注動作を繰り返し実行して、被検体ＩＤ「１」及び「２」の被検試料の分注、及びサンプル分注プローブ１６の洗浄を終了した後に、試薬部２１の第１試薬分注プローブ１４は、試薬庫２の試薬ボトル７ａからｎテスト（ｎ＝１）である測定項目の被検試料が分注された反応容器４に、ｎテストの測定項目に該当する第１試薬を分注する（ステップＳ３１）。
【０１４４】
第１試薬が分注された後に、反応容器４内の被検試料及び第１試薬からなる第１の混合液が第１撹拌ユニット１１ａの第１撹拌子１１ａ１によって撹拌される。
【０１４５】
ｎテストの第１試薬の分注を終了した後、制御部３２は、システム制御部７０から供給される第１試薬分注プローブ洗浄条件設定画面５４で選択及び設定された汚染する第１試薬である「ＧＰＴ」及びこの第１試薬から汚染される第１試薬である「Ｃａ」の情報、汚染する第１試薬の洗浄液である「第１のＲ１洗浄液」、及びこの洗浄液の設定位置である「Ｒ１Ｗ１」の情報と、ｎテスト及び（ｎ＋１）テストの測定項目の情報に基づいて、第１試薬分注プローブ１４の洗浄を行う。
【０１４６】
そして、ｎテストが「ＧＰＴ」であり、（ｎ＋１）テストが「Ｃａ」である組合せ以外の組合せである場合（ステップＳ３２のいいえ）、第１試薬分注プローブ１４を第１試薬洗浄槽１４ａで洗浄水を用いて洗浄する（ステップＳ３３）。
【０１４７】
また、ｎテストが「ＧＰＴ」であり、（ｎ＋１）テストが「Ｃａ」である組合せである場合（ステップＳ３２のはい）、第１試薬分注プローブ１４を試薬庫２の「Ｒ１Ｗ１」に設置された試薬容器７ａの「第１のＲ１洗浄液」を吸引して洗浄する（ステップＳ３４）。
【０１４８】
ここでは、２テストである「ＧＰＴ」の第１試薬の後に、３テストである「Ｃａ」の第１試薬の分注が行われるので、「Ｃａ」の第１試薬を分注する前に、「Ｒ１Ｗ１」に設置された「第１のＲ１洗浄液」を用いて洗浄する。
【０１４９】
ステップＳ３４の後に、第１試薬分注プローブ１４は、第１試薬洗浄槽１４ａに移動する。第１試薬分注プローブ１４の移動後、洗浄水供給ポンプ１４ｃは、第１試薬分注プローブ１４から「第１のＲ１洗浄液」を洗い落とすための所定量の洗浄水を純水装置１１０から吸引し、吸引した所定量の洗浄水を第１試薬分注プローブ１４から第１試薬洗浄槽１４ａ内に吐出する。
【０１５０】
ステップＳ３３又はＳ３４の後に、ｎが４である場合（ステップＳ３５のはい）、ステップＳ３６に移行する。また、ｎが４未満である場合（ステップＳ３５のいいえ）、ステップＳ３１に戻る。
【０１５１】
１テスト乃至４テストにおける測定項目の第１試薬分注、第１撹拌、及び第１試薬分注プローブ１４の洗浄後、第２試薬分注プローブ１５は、試薬庫３の試薬ボトル７ｂからｐテスト（ｐ＝１）の被検試料及び第１試薬が分注された反応容器４に、ｐテストの測定項目に該当する第２試薬を分注する（ステップＳ４１）。
【０１５２】
第２試薬が分注された後に、反応容器４内の被検試料、第１試薬、及び第２試薬からなる第２の混合液が反応部２２の第２撹拌ユニット１１ｂの第２撹拌子１１ｂ１によって撹拌される。
【０１５３】
ｐテストである測定項目の第２試薬の分注を終了した後、制御部３２は、システム制御部７０から供給される第２試薬分注プローブ洗浄条件設定画面５５で選択及び設定された情報、及びｐテスト及び（ｐ＋１）テストの測定項目の情報に基づいて、第２試薬分注プローブ１５の洗浄を行う。
【０１５４】
そして、ｐテストの測定項目の第２試薬が汚染する試薬であり、（ｐ＋１）テストの測定項目の第２試薬が汚染される項目である組合せ以外の組合せである場合（ステップＳ４２のいいえ）、第２試薬分注プローブ１５を第２試薬洗浄槽１５ａで洗浄水を用いて洗浄する（ステップＳ４３）。
【０１５５】
また、ｐテストの測定項目の第２試薬が汚染する試薬であり、（ｐ＋１）テストの測定項目の第２試薬が汚染される項目である組合せである場合（ステップＳ４２のはい）、第２試薬分注プローブ１５を、第２試薬分注プローブ洗浄条件設定画面５５で設定された洗浄液を吸引して洗浄する。
【０１５６】
ステップＳ４４の後に、第２試薬分注プローブ１５は、第２試薬洗浄槽１５ａに移動する。第２試薬分注プローブ１５の移動後、洗浄水供給ポンプ１５ｃは、第２試薬分注プローブ１５から洗浄液を洗い落とすための所定量の洗浄水を純水装置１１０から吸引し、吸引した所定量の洗浄水を第２試薬分注プローブ１５から第２試薬洗浄槽１５ａ内に吐出する。
【０１５７】
ステップＳ４３又はＳ４４の後に、ｐが４である場合（ステップＳ４５のはい）、ステップＳ４６に移行する。また、ｎが４未満である場合（ステップＳ４５のいいえ）、ステップＳ４１に戻る。
【０１５８】
１テスト乃至４テストにおける測定項目の第２試薬分注、第２撹拌、及び第２試薬分注プローブ１５の洗浄を繰り返し実行した後に、反応部２２の測光ユニット１３は、第２の混合液が入った反応容器４に光を照射して、透過した光から設定波長の吸光度を測定する。そして、被検体ＩＤ「１」及び「２」の被検試料の各測定項目の被検データを生成してデータ処理部４０に出力する（ステップＳ４６）。
【０１５９】
測光ユニット１３による測定の後に、反応部２２の洗浄ユニット１２は、第２の混合液が入った反応容器４内の測定を終えた第２の混合液を吸引した後、反応容器４内の洗浄及び乾燥を行う。
【０１６０】
データ処理部４０の演算部４１は、測光ユニット１３から出力された被検データから各被検試料の各測定項目の分析データを生成して記憶部４２に保存すると共に、出力部５０に出力する（ステップＳ４７）。
【０１６１】
そして、全ての反応容器４の洗浄及び乾燥が終了して被検体ＩＤ「１」及び「２」の全ての測定項目の分析データが出力された後、又は図１４のステップＳ１８の「いいえ」の後に自動分析装置２００は測定を終了する（ステップＳ４８）。
【０１６２】
測定終了後、出力部５０にエラー情報が出力された場合、自動分析装置１００の操作者は、そのエラー情報に基づいて自動分析装置１００を点検し、不具合箇所を修理した後、被検試料を再測定する。
【０１６３】
以上述べた本発明の実施例によれば、予め設定された設置位置の試料容器１７からサンプル分注プローブ１６内に吸引した後、サンプル分注プローブ１６から吐出される判定用洗浄液のｐＨを測定する。そして、測定した判定用洗浄液のｐＨ値が予め設定された第１の許容範囲内である場合、前記設置位置の試料容器１７には予め設定されたサンプル分注プローブ１６の洗浄液が収容されていると判定する。また、ｐＨ値が第１の許容範囲から外れている場合、前記設置位置の試料容器１７にはサンプル分注プローブ１６の洗浄液以外の液体が収容されている判定し、第１のエラー情報を出力部５０に出力することができる。
【０１６４】
前記設置位置の試料容器１７にサンプル分注プローブ１６の洗浄液が収容されていると判定された場合、サンプル分注プローブ１６からその洗浄液を洗い落とすための洗浄水を吐出し、更に洗浄水を吐出した後に吐出される判定用洗浄水のｐＨを測定する。そして、測定した判定用洗浄水のｐＨ値が予め設定された第２の許容範囲内である場合、サンプル分注プローブ１６の洗浄液を洗い落とすことが可能な量の洗浄水が供給されていると判定する。また、ｐＨ値が第２の許容範囲から外れている場合、サンプル分注プローブ１６の洗浄液を洗い落とす洗浄水の量が不足していると判定し、第２のエラー情報を出力部５０に出力することができる。
【０１６５】
第１及び第２試薬分注プローブ１４，１５の予め設定された設置位置の各試薬容器７ａ，７ｂに収容された判定用洗浄液のｐＨ値が予め設定された第１の許容範囲から外れている場合、第３のエラー情報を出力部５０に出力することができる。また、判定用洗浄水のｐＨ値が予め設定された第２の許容範囲から外れている場合、第４のエラー情報を出力部５０に出力することができる。
【０１６６】
そして、各分注プローブの判定洗浄液及び判定洗浄水の判定により、１つ以上のエラー情報が出力部５０に出力されたとき、被検試料の測定を中止することができる。これにより、各分注プローブを介しての被検試料や試薬への汚染を未然に防ぎ、精度よく測定することができる。また、被検試料及び試薬を分注する前に洗浄液やこの洗浄液の洗浄水量の異常を検出することができるので、被検試料、試薬、及び時間の浪費を未然に防ぐことができる。
【図面の簡単な説明】
【０１６７】
【図１】本発明の実施例に係る自動分析装置の構成を示すブロック図。
【図２】本発明の実施例に係る分析部のサンプル部、試薬部、及び反応部の構成を示す斜視図。
【図３】本発明の実施例に係るサンプル部及び反応部の一部を上から見た図。
【図４】本発明の実施例に係る試薬部及び反応部の一部を上から見た図。
【図５】本発明の実施例に係る試薬部及び反応部の一部を上から見た図。
【図６】本発明の実施例に係るｐＨセンサ部の構成を示す図。
【図７】本発明の実施例に係る表示部に表示されるサンプル分注プローブ洗浄条件設定画面の一例を示す図。
【図８】本発明の実施例に係る図７のサンプル分注プローブ洗浄条件設定画面で設定された位置の液体がサンプル分注プローブの洗浄液であるか否かを判定するために用いられるサンプル部の各分析ユニットの構成、及びサンプルセンサ部の構成を示す図。
【図９】本発明の実施例に係る表示部に表示される第１試薬分注プローブ洗浄条件設定画面の一例を示す図。
【図１０】本発明の実施例に係る図９の第１試薬分注プローブ洗浄条件設定画面で設定された位置の液体が第１試薬分注プローブの洗浄液であるか否かを判定するために用いられる試薬部の各分析ユニットの構成、及び第１試薬センサ部の構成を示す図。
【図１１】本発明の実施例に係る表示部に表示される第２試薬分注プローブ洗浄条件設定画面の一例を示す図。
【図１２】本発明の実施例に係る図１１の第２試薬分注プローブ洗浄条件設定画面で設定された位置の液体が第２試薬分注プローブの洗浄液であるか否かを判定するために用いられる試薬部の各分析ユニットの構成、及び第２試薬センサ部の構成を示す図。
【図１３】本発明の実施例に係る表示部に表示される測定項目設定画面の一例を示す図。
【図１４】本発明の実施例に係る測定を開始してから各洗浄条件設定画面で設定された位置の各判定用洗浄液を判定するまでの動作を示すフローチャート。
【図１５】本発明の実施例に係る被検試料の分注を開始してからサンプル分注プローブの洗浄を終了するまでの動作を示すフローチャート。
【図１６】本発明の実施例に係る第１試薬の分注を開始してから測定を終了するまでの動作を示すフローチャート。
【符号の説明】
【０１６８】
１９  分析部
２０  サンプル部
２１  試薬部
２２  反応部
２３  ｐＨセンサ部
３０  分析制御部
３１  機構部
３２  制御部
３３  信号処理部
３４  判定部
４０  データ処理部
４１  演算部
４２  記憶部
５０  出力部
５１  印刷部
５２  表示部
６０  操作部
７０  システム制御部
７１  記憶回路
１００  自動分析装置
１１０  純水装置
【図１】
2008111767.tif 000003
【図２】
2008111767.tif 000004
【図３】
2008111767.tif 000005
【図４】
2008111767.tif 000006
【図５】
2008111767.tif 000007
【図６】
2008111767.tif 000008
【図７】
2008111767.tif 000009
【図８】
2008111767.tif 000010
【図９】
2008111767.tif 000011
【図１０】
2008111767.tif 000012
【図１１】
2008111767.tif 000013
【図１２】
2008111767.tif 000014
【図１３】
2008111767.tif 000015
【図１４】
2008111767.tif 000016
【図１５】
2008111767.tif 000017
【図１６】
2008111767.tif 000018